(57)【要約】【課題】バックアップサーバを不要とするバックアップシステムの提供。【解決手段】管理ＰＣ３０がディスクサブシステム２０に記憶したＶＴＯＣ情報（ボリュームデータテーブル情報）２３を読み出す命令を磁気テープ記憶システム４０に発行し、これを受けた磁気テープ記憶システム４０がディスクサブシステム２０からボリュームデータ通し番号（ＶＯＬＳＥＲ）及びＶＴＯＣ情報２３を読み出して管理ＰＣ３０に送信し、これを受けた管理ＰＣ３０が該ＶＯＬＳＥＲリストとＶＴＯＣ情報２３をカタログ情報３１として記憶し、このカタログ情報３１から選択されたボリュームデータのディスクサブシステム２０から磁気テープ記憶システム４０へのバックアップ命令を実行するバックアップシステム。【選択図】図１
2009116523.tif 000002
【特許請求の範囲】
【請求項１】
外部記憶装置に記憶されたボリュームデータを管理するためのボリューム通し番号を含むデータテーブル情報から、ボリュームデータの処理を行うメインフレームと、該メインフレームのボリュームデータをボリューム通し番号に対応して記憶する外部記憶装置と、該外部記憶装置に記憶したデータのバックアップ及びリストアを行うバックアップ用記憶装置と、バックアップ用記憶装置に接続される管理コンピュータとから成るバックアップシステムであって、
前記管理コンピュータが前記外部記憶装置に記憶されたデータテーブル情報を読み出す命令をバックアップ用記憶装置に発行する第１工程と、
該データテーブル情報を読み出す命令を受けたバックアップ用記憶装置が外部記憶装置に記憶されたデータテーブル情報を読み出し、前記管理コンピュータに送信する第２工程と、
該送信されたデータテーブル情報から管理コンピュータがボリュームデータ通し番号を抽出して該ボリュームデータ通し番号のリストをカタログ情報として記憶し、該カタログ情報から選択されたボリュームデータ通し番号のボリュームデータの転送をバックアップ用記憶装置に命令する第３工程とを行うバックアップシステム。
【請求項２】
前記第３工程の転送命令が、前記カタログ情報から選択されたボリュームデータ通し番号のボリュームデータの外部記憶装置からバックアップ用記憶装置へのバックアップを命令する工程である請求項１記載のバックアップシステム。
【請求項３】
前記第３工程の転送命令が、前記カタログ情報から選択されたボリュームデータ通し番号のボリュームデータのバックアップ用記憶装置から外部記憶装置へのリストアを命令する工程である請求項１記載のバックアップシステム。
【請求項４】
外部記憶装置に記憶されたボリュームデータを管理するためのボリューム通し番号を含むデータテーブル情報から、ボリュームデータの処理を行うメインフレームと、該メインフレームによって記憶されたボリュームデータをボリューム通し番号に対応して記憶する外部記憶装置と、該外部記憶装置に記憶したデータのバックアップ及びリストアを行うバックアップ用記憶装置と、バックアップ用記憶装置に接続される管理コンピュータとから成るコンピュータシステムのバックアップ方法であって、
前記管理コンピュータが前記メインフレームに記憶したデータテーブル情報を読み出す命令をバックアップ用記憶装置に発行し、
該データテーブル情報を読み出す命令を受けたバックアップ用記憶装置が外部記憶装置に記憶されたデータテーブル情報を読み出して前記管理コンピュータに送信し、
該送信されたデータテーブル情報から管理コンピュータがボリュームデータ通し番号を抽出して該ボリュームデータ通し番号のリストをカタログ情報として記憶し、該カタログ情報から選択されたボリュームデータ通し番号のボリュームデータの転送をバックアップ用記憶装置に命令するバックアップ方法。
【請求項５】
前記転送命令が、前記カタログ情報から選択されたボリュームデータ通し番号のボリュームデータの外部記憶装置からバックアップ用記憶装置へのバックアップを命令する工程である請求項４記載のバックアップ方法。
【請求項６】
前記転送命令が、前記カタログ情報から選択されたボリュームデータ通し番号のボリュームデータのバックアップ用記憶装置から外部記憶装置へのリストアを命令する請求項４記載のバックアップ方法。
【発明の詳細な説明】
【技術分野】
【０００１】
本発明は、ホストコンピュータのボリュームデータをバックアップ用記憶装置にバックアップ又はリストアを行うデータバックアップシステム及びデータバックアップ方法に係り、特にバックアップ用記憶装置からの操作によってデータのバックアップ又はリストアを行うことができるデータバックアップシステム及びデータバックアップ方法に関する。
【背景技術】
【０００２】
近年のコンピュータシステムは、メインフレームと呼ばれるホストコンピュータと、該ホストコンピュータに接続され、大量のデータを記憶する外部記憶装置とから構成され、前記外部記憶装置に記憶したデータを災害や障害等に備えて遠隔地のバックアップ用記憶装置にバックアップをとるように構成されている。
【０００３】
従来技術によるバックアップシステムは、前記メインフレームが外部記憶装置に記憶するデータをメインフレームの可変長記録方式（ＣＫＤ：Ｃｏｕｎｔ  Ｋｅｙ  Ｄａｔａ  ａｒｃｈｉｔｅｃｔｕｒｅ）のボリューム（一連の関連ファイルのためのディスク空間の単位）単位で記憶しているため、バックアップ又はリストアを行うボリュームデータを一時的に記憶するバックアップ専用のバックアップサーバを用意し、該バックアップサーバが自己にボリュームデータを一時的に記憶して転送することによりバックアップ用記憶装置にバックアップ又はリストアするように構成されていた。
【０００４】
尚、前述したメインフレームのデータのバックアップを行う技術を記載した文献としては下記特許文献が挙げられ、下記特許文献にはメインフレームのバックアップ手段が外部記憶装置に記憶されているバックアップ対象ボリュームを指定し、この指定されたボーリュームデータをメインフレーム及びオープン系サーバに接続されている第２の記憶装置に一旦記憶し、この後に前記ボリュームデータをバックアップ用記憶装置に記憶することが記載されている。
【特許文献１】特開２００４−２２０４８４号公報
【発明の開示】
【発明が解決しようとする課題】
【０００５】
前述の従来技術によるバックアップサーバがバックアップを行うシステムは、バックアップ専用のバックアップサーバを用いなければ、バックアップ用記憶装置にメインフレームのデータを外部記憶装置にバックアップすることができないと言う不具合があった。
【０００６】
本発明の目的は、バックアップサーバを用いることなく外部記憶装置のデータをバックアップ用記憶装置に直接バックアップすることができるデータバックアップシステム及びデータバックアップ方法を提供することである。
【課題を解決するための手段】
【０００７】
前記目的を達成するため本発明は、外部記憶装置に記憶されたボリュームデータを管理するためのボリューム通し番号を含むデータテーブル情報から、ボリュームデータの処理を行うメインフレームと、該メインフレームのボリュームデータをボリューム通し番号に対応して記憶する外部記憶装置と、該外部記憶装置に記憶したデータのバックアップ及びリストアを行うバックアップ用記憶装置と、バックアップ用記憶装置に接続される管理コンピュータとから成るバックアップシステムであって、前記管理コンピュータが前記外部記憶装置に記憶されたデータテーブル情報を読み出す命令をバックアップ用記憶装置に発行する第１工程と、該データテーブル情報を読み出す命令を受けたバックアップ用記憶装置が外部記憶装置に記憶されたデータテーブル情報を読み出し、前記管理コンピュータに送信する第２工程と、該送信されたデータテーブル情報から管理コンピュータがボリュームデータ通し番号を抽出して該ボリュームデータ通し番号のリストをカタログ情報として記憶し、該カタログ情報から選択されたボリュームデータ通し番号のボリュームデータの転送をバックアップ用記憶装置に命令する第３工程とを行うことを第１の特徴とする。
【０００８】
また本発明は、前記バックアップシステムにおいて、前記第３工程の転送命令が、前記カタログ情報から選択されたボリュームデータ通し番号のボリュームデータの外部記憶装置からバックアップ用記憶装置へのバックアップを命令する工程であることを第２の特徴とし、前記第１の特徴のバックアップシステムにおいて、前記第３工程の転送命令が、前記カタログ情報から選択されたボリュームデータ通し番号のボリュームデータのバックアップ用記憶装置から外部記憶装置へのリストアを命令する工程であることを第３の特徴とする。
【０００９】
更に本発明は、外部記憶装置に記憶するボリュームデータを管理するためのボリューム通し番号を含むデータテーブル情報を記憶し、ボリュームデータの処理を行うメインフレームと、該メインフレームのボリュームデータをボリューム通し番号に対応して記憶する外部記憶装置と、該外部記憶装置に記憶したデータのバックアップ及びリストアを行うバックアップ用記憶装置と、バックアップ用記憶装置とに接続される管理コンピュータとから成るコンピュータシステムのバックアップ方法であって、前記管理コンピュータが前記外部記憶装置に記憶されたデータテーブル情報を読み出す命令をバックアップ用記憶装置に発行し、該データテーブル情報を読み出す命令を受けたバックアップ用記憶装置が外部記憶装置に記憶されたデータテーブル情報を読み出して前記管理コンピュータに送信し、該送信されたデータテーブル情報から管理コンピュータがボリュームデータ通し番号を抽出して該ボリュームデータ通し番号のリストをカタログ情報として記憶し、該カタログ情報から選択されたボリュームデータ通し番号のボリュームデータの転送をバックアップ用記憶装置に命令することを第４の特徴とする。
【００１０】
また本発明は、前記第４の特徴のバックアップ方法において、前記転送命令が、前記カタログ情報から選択されたボリュームデータ通し番号のボリュームデータの外部記憶装置からバックアップ用記憶装置へのバックアップを命令する工程であることを第５の特徴とし、前記第４の特徴のバックアップ方法において、前記転送命令が、前記カタログ情報から選択されたボリュームデータ通し番号のボリュームデータのバックアップ用記憶装置から外部記憶装置へのリストアを命令することを第６の特徴とする。
【発明の効果】
【００１１】
本発明によるデータバックアップシステム及びデータバックアップ方法は、管理コンピュータが外部記憶装置に記憶されたボリュームデータのデータテーブル情報をバックアップ用記憶装置を用いて収集し、このデータテーブル情報からボリュームデータ通し番号のリストをカタログ情報として記憶し、管理者から選択されたボリュームデータ通し番号のボリュームデータのバックアップ又はリストアをバックアップ用記憶装置に命令することによって、特別なバックアップサーバを用いることなく任意のボリュームデータのバックアップ又はリストアを行うことができる。
【発明を実施するための最良の形態】
【００１２】
以下、本発明によるデータバックアップ方法を適用したデータバックアップシステムを図面を参照して詳細に説明する。図１は本実施形態によるデータバックアップシステムを実現するコンピュータシステムの全体構成図、図２はボリューム（ＶＯＬ）ラベル情報のフォーマットテーブルを示す図、図３はＶＴＯＣ情報のフォーマットテーブルを示す図、図４は本実施形態によるデータバックアップ方法のフロー図、図５はカタログ情報を説明するための図である。尚、前記ＶＴＯＣ（Volume Table Of Contents）情報とは、磁気ディスクでボリュームデータ（ファイル）に関する情報を管理するための情報を記載しているボリュームデータテーブル情報であり、詳細は後述する。
【００１３】
［構成の説明］
本実施形態によるコンピュータシステムは、図１に示す如く、各種業務を所定のアプリケーションプログラムによって処理するメインフレーム１０と、該メインフレーム１０に接続され、データ記憶を行う外部記憶装置に相当するディスクサブシステム２０と、前記ディスクサブシステム２０に記憶されたボリューム単位のデータのバックアップ記憶を行うバックアップ用の磁気テープ記憶システム４０と、前記磁気テープ記憶システム４０とＬＡＮ接続される管理用コンピュータ（ＰＣ）３０とから構成される。また前記ディスクサブシステム２０と磁気テープ記憶システム４０とは専用ケーブルによって直接接続されている。
【００１４】
前記ディスクサブシステム２０は、多数の磁気ディスク装置を内蔵し、その記憶したボリュームデータを管理するためのＶＯＬＩＤ（ボリュームシリアル番号）２２に対応したＶＴＯＣ情報２１と複数のデータセット２４を格納しており、このＶＴＯＣ情報（ボリュームデータテーブル情報）２１の詳細は、図３に示す如く、当該データの名称であるデータセット名／データ記録形式を示す形式ＩＤ／当該データセットがあるボリュームの順序を識別するためのデータセット通し番号（ＶＯＬＳＥＲ）／当該データセットがあるボリュームの順序を識別するためのボリューム順序番号／当該データセットが作成された日時を示す作成日時／当該データセットを消去しても良い最初の日付を示す満了日時／当該データセットのボリューム中にあるエクステンス数を示すエクステント数／データ圧縮の有無を示すデータセット圧縮インジケータ／当該データセットを作成したシステム名であるシステムコード／当該データセットをアクセスした最終日付である最終参照日付／当該データセットの構成を示すデータセット編集／固定長・可変長・不定長レード種別を示すレコード形式／固定長・可変長・不定長のブロック長であるブロック長／同様なレコード長／キーの長さであるキー長／データセットインジケータ／スペース割当パラメータ／エクステント定義の各項目から構成されている。尚、データセットとは、ソースプログラムや実行形式のプログラム，データや文書などの情報を集合として格納する入れものである。
【００１５】
また前記メインフレーム１０は、前記ディスクサブシステム２０に記憶したデータを管理するための管理情報１１を記憶しており、この管理情報１１は、ＶＯＬラベル情報と前記ＶＴＯＣ情報を含み、該ＶＯＬラベル情報は、図２に示す如く、ボリューム毎に識別子として設定されたキーＩＤ／当該ラベルを識別するためのラベル識別名／ボリューム通し番号／予備のデータ格納領域／ＶＴＯＣアドレスとを格納している。尚、前記ＶＴＯＣ情報は、個々のディスクに必ず存在し、メインフレーム１０がデータをアクセスする際に参照されるものであり、メインフレーム１０上に常時ＶＴＯＣ情報を記憶しているものではない。
【００１６】
前記管理ＰＣ３０は、前記ディスクサブシステム２０に記憶したボリュームのＶＯＣラベル情報から得たカタログ情報を記憶しており、このカタログ情報は、メインフレームボリューム上のＶＴＯＣ情報(図２に示したＶＯＬラベルフォーマット及び図３に示したＶＴＯＣフォーマット)から作成されたデータセット名や属性を、管理プログラム上にテーブル化し、保持したものを言い、図５に示す如く、ボリュームシリアル番号（ＶＯＬＳＥＲ）毎のセットデータ名／レコード形式／ブロック長／レコード長／テープ番号の各情報から構成され、管理者がこのカタログ情報を参照し、データセット毎のバックアップやリストアを命令するためのものである。
【００１７】
［動作の説明］
この様に構成されたデータバックアップシステムは、管理ＰＣ３１を用いてディスクサブシステム２０に記憶した任意のデータを磁気テープ記憶システム４０にバックアップ又はリストアするものであって、この処理手順を図４を用いて説明する。
【００１８】
本実施形態によるデータバックアップシステムは、図４に示す如く、任意のタイミングにより管理ＰＣ３０がＬＡＮを介して磁気テープ記憶システム４０に対してディスクサブシステム２０からＶＴＯＣ情報２３（図３）を読み出す命令（コマンド）を発するステップＳ４０と、該命令を受けた磁気テープ記憶システム４０がディスクサブシステム２０からＶＴＯＣ情報２３を直接読み出し、該ＶＴＯＣ情報２３に含まれる全てのデータセット情報を読み出して管理ＰＣ３０に送信するステップＳ４１と、該データセット情報を受信した管理ＰＣ３０が前記データセット情報を基に図５に示した表形式のカタログ情報３１に変換して保存するステップＳ４２とを実行する。
【００１９】
次いで本システムは、管理者が前記カタログ情報３１から指定したデータセットを、ディスクサブシステム２０から磁気テープ記憶システム４０にバックアップ（又はリストア）する命令を磁気テープ記憶システム４０に発行するステップＳ４３と、前記命令を受けた磁気テープ記憶システム４０が指定されたデータセットをディスクサブシステム２０のＶＴＯＣ情報２３から検索し、該ＶＴＯＣ情報に含まれるデータセットの属性情報を読み取り、この属性情報を基にデータバックアップ（又はリストア）を開始するステップＳ４４とを実行することによって、メインフレーム１０を介することなく、ディスクサブシステム２０に記憶されている任意のデータを磁気テープ記憶システム４０にバックアップ（又はリストア）することができる。
【００２０】
即ち本実施形態によるバックアップシステムは、管理ＰＣ３０が磁気テープ記憶システム４０にディスクサブシステム２０の管理情報からＶＴＯＣ情報２３を読み出しを指示し、この読み出したＶＴＯＣ情報２３からボリューム通し番号やデータセット名を含むカタログ情報３１を作成し、管理者が該カタログ情報３１から選択したデータセットのバックアップ又はリストアを磁気テープ記憶システム４０に命令することによって、バックアップサーバを用いることなくデータのバックアップを行うことができる。
【００２１】
このように本実施形態によるバックアップ方式は、元来メインフレームがディスクサブシステムをアクセスする際に、ＶＯＬラベル参照→ＶＴＯＣ情報参照→ＶＴＯＣ情報内のデータセット検索→データセットのデータへアクセスを行う工程を、磁気テープ記憶システム自身に実行させる事により、従来は必要であったメインフレームを介すること無く、データのバックアップを行うことができる。
【図面の簡単な説明】
【００２２】
【図１】本発明の一実施形態によるデータバックアップシステムを実現するコンピュータシステムの全体構成図。
【図２】ボリュームラベル情報のフォーマットテーブルを示す図。
【図３】ＶＴＯＣ情報のフォーマットテーブルを示す図。
【図４】本実施形態によるデータバックアップ方法のフロー図。
【図５】カタログ情報を説明するための図。
【符号の説明】
【００２３】
１０：メインフレーム、１１：管理情報、２０：ディスクサブシステム、２３：ＶＴＯＣ情報、２４：データセット、３１：カタログ情報４０：磁気テープ記憶システム、３０：管理コンピュータ（ＰＣ）。
【図１】
2009116523.tif 000003
【図２】
2009116523.tif 000004
【図３】
2009116523.tif 000005
【図４】
2009116523.tif 000006
【図５】
2009116523.tif 000007